(57)【要約】【課題】  各畜房に収容する家畜の成育状況に応じて適切な環境に維持しつつ、当該家畜の糞尿を効率良く回収して排出する。【解決手段】  畜舎１０は、簀の子状の床面を有する複数の畜房１２と、この簀の子状の床面の下方において複数の畜房１２間を連通するように設けられ簀の子状の床面から落下した家畜の糞尿を排出する排出ピット１４とを備えている。排出ピット１４内には、排出ピット１４を畜房１２間で遮蔽する間仕切り２０が設置されている。この間仕切り２０は、上下動する。【選択図】        図３
2010004768.tif 000002
【特許請求の範囲】
【請求項１】
複数の畜房の簀の子状の床面の下方において前記複数の畜房間を連通するように設けられ前記簀の子状の床面から落下した家畜の糞尿を排出する排出ピット内に設けられ、前記排出ピットを前記畜房間で遮蔽する畜房用の間仕切り。
【請求項２】
請求項１に記載された畜房用の間仕切りであって、最下部に位置したときに前記排出ピットの底面に形成された糞尿排出用の溝又はパイプその他の回収路を除いた部分を遮蔽することを特徴とする畜房用の間仕切り。
【請求項３】
請求項１又は請求項２のいずれかに記載された畜房用の間仕切りであって、上下動することを特徴とする畜房用の間仕切り。
【請求項４】
請求項３に記載された畜房用の間仕切りであって、前記排出ピット内を移動する糞尿スクレーパーの前記移動の障害とならないように上下動することを特徴とする畜房用の間仕切り。
【請求項５】
請求項３又は請求項４のいずれかに記載された畜房用の間仕切りであって、ガイドに沿って上下動することを特徴とする畜房用の間仕切り。
【請求項６】
請求項５に記載された畜房用の間仕切りであって、前記排出ピットを遮蔽するために最下部に移動した場合にも、上端側の一部が前記排出ピットの上縁よりも上方に又は前記ガイド内に位置することを特徴とする畜房用の間仕切り。
【請求項７】
請求項３乃至請求項６のいずれかに記載された畜房用の間仕切りであって、リミットスイッチにより上下動の範囲が設定されていることを特徴とする畜房用の間仕切り。
【請求項８】
請求項３乃至請求項７のいずれかに記載された畜房用の間仕切りであって、前記糞尿スクレーパーの移動に連動して上下動することを特徴とする畜房用の間仕切り。
【請求項９】
簀の子状の床面を有する複数の畜房と、前記簀の子状の床面の下方において前記複数の畜房間を連通するように設けられ前記簀の子状の床面から落下した家畜の糞尿を排出する排出ピットとを備えた畜舎であって、前記排出ピット内に設けられ、前記排出ピットを前記畜房間で遮蔽する間仕切りを備えたことを特徴とする畜舎。
【請求項１０】
請求項９に記載された畜舎であって、前記間仕切りは、最下部に位置したときに前記排出ピットの底面に形成された糞尿排出用の溝又はパイプその他の回収路を除いた部分を遮蔽することを特徴とする畜舎。
【請求項１１】
請求項９又は請求項１０のいずれかに記載された畜舎であって、前記間仕切りは、上下動することを特徴とする畜舎。
【請求項１２】
請求項１１に記載された畜舎であって、前記排出ピット内を移動して前記糞尿を回収する糞尿スクレーパーを更に備え、前記間仕切りは、前記糞尿スクレーパーの移動の障害とならないように上下動することを特徴とする畜舎。
【請求項１３】
請求項１１又は請求項１２のいずれかに記載された畜舎であって、前記間仕切りは、ガイドに沿って上下動することを特徴とする畜舎。
【請求項１４】
請求項１３に記載された畜舎であって、前記間仕切りは、前記排出ピットを遮蔽するために最下部に移動した場合にも、上端側の一部が前記畜舎の床面よりも上方に又は前記ガイド内に位置することを特徴とする畜舎。
【請求項１５】
請求項１１乃至請求項１４のいずれかに記載された畜舎であって、前記間仕切りは、リミットスイッチにより上下動の範囲が設定されていることを特徴とする畜舎。
【請求項１６】
請求項１１乃至請求項１５のいずれかに記載された畜房であって、前記間仕切りは、前記糞尿スクレーパーの移動に連動して上下動することを特徴とする畜房。
【発明の詳細な説明】
【技術分野】
【０００１】
本発明は、主に豚等の家畜を養育する畜舎及びその畜舎内に設置される複数の畜房の改良に関し、特に、各畜房に収容する家畜の成育状況に応じて適切な環境に維持しつつ、当該家畜の糞尿を適切に回収して排出することに関するものである。
【背景技術】
【０００２】
豚等の家畜を養育する豚舎その他の畜舎においては、畜舎内を複数の畜房に区切り、各畜房毎に、養育する豚等の生後日数等の成育状況に応じた適切な温度や湿度等に設定することが行われる。
【０００３】
このような畜房を備えた畜舎においては、家畜が排出する糞尿を容易に回収して、各畜房内の衛生状態を保持するために、落下孔又は落下溝等の糞尿の落下のための開口を有する簀の子状の床面を設置し、この床面の下方に、落下した糞尿を排出するための排出ピットが設置される。
【０００４】
この排出ピットは、通常、その床面が、中央に向けて下方に傾斜する斜面に形成され、その最深部に糞尿を排出するための溝やパイプその他の回収路が形成されている。簀の子状の床面から落下した家畜の糞尿は、この溝やパイプ等の回収路を通って回収される。
【０００５】
この場合、この排出ピットは、複数の畜房から落下した糞尿を効率的に回収するため、複数の畜房に跨って、これらの複数の畜房の下方で連通して形成されている。更に、場合によっては、これらの複数の畜房の下方を横切るように排出ピットの一端から他端へ向けて排出ピットの壁面や底面に沿って糞尿スクレーパーを移動させて、排出ピットの斜面状の床面や側面、また、溝やパイプ等の回収路内に残存した糞尿を掻き集めて適切に回収することが行われる（例えば、特許文献１及び２参照）。
【０００６】
しかし、このように、糞尿の排出のための排出ピットが、複数の畜房の下方で連通していると、床上において各畜房を区切って各畜房毎に家畜の成育状況に応じた適切な温度環境等に設定しても、この下方の排出ピットを介して各畜房間で空気が流通するため、上記のように、各畜房に収容される豚等の家畜の成育状況に応じて設定した温度等の環境雰囲気が変化してしまい、家畜の成育に影響を与えるおそれがある。
【０００７】
一方、この排出ピットを介しての空気の流通を遮断するために、各畜房毎に、排出ピットを設置することも考えられるが、これでは、糞尿の回収のために多大な手間と時間を要する問題が生じる。
【特許文献１】特開平１１−８９４６７号公報
【特許文献２】特開２００７−２８９０４８号公報
【発明の開示】
【発明が解決しようとする課題】
【０００８】
本発明が解決しようとする課題は、上記の問題点に鑑み、各畜房に収容する家畜の成育状況に応じて適切な環境に維持しつつ、当該家畜の糞尿を効率良く回収して排出することができる畜房用の間仕切り及び畜舎を提供することにある。
【課題を解決するための手段】
【０００９】
（１．畜房用の間仕切り）
本発明は、上記の課題を解決するための第１の手段として、複数の畜房の簀の子状の床面の下方においてこれらの複数の畜房間を連通するように設けられ簀の子状の床面から落下した家畜の糞尿を排出する排出ピット内に設けられ、排出ピットを畜房間で遮蔽する畜房用の間仕切りを提供するものである。
【００１０】
本発明は、上記の課題を解決するための第２の手段として、上記第１の解決手段において、最下部に位置したときに排出ピットの底面に形成された糞尿排出用の溝又はパイプその他の回収路を除いた部分を遮蔽することを特徴とする畜房用の間仕切りを提供するものである。
【００１１】
本発明は、上記の課題を解決するための第３の手段として、上記第１又は第２のいずれかの解決手段において、上下動することを特徴とする畜房用の間仕切りを提供するものである。
【００１２】
本発明は、上記の課題を解決するための第４の手段として、上記第３の解決手段において、排出ピット内を移動する糞尿スクレーパーの移動の障害とならないように上下動することを特徴とする畜房用の間仕切りを提供するものである。
【００１３】
本発明は、上記の課題を解決するための第５の手段として、上記第３又は第４のいずれかの解決手段において、ガイドに沿って上下動することを特徴とする畜房用の間仕切りを提供するものである。
【００１４】
本発明は、上記の課題を解決するための第６の手段として、上記第５の解決手段において、排出ピットを遮蔽するために最下部に移動した場合にも、上端側の一部が排出ピットの上縁よりも上方に又はガイド内に位置することを特徴とする畜房用の間仕切りを提供するものである。
【００１５】
本発明は、上記の課題を解決するための第７の手段として、上記第３乃至第６のいずれかの解決手段において、リミットスイッチにより上下動の範囲が設定されていることを特徴とする畜房用の間仕切りを提供するものである。
【００１６】
本発明は、上記の課題を解決するための第８の手段として、上記第３乃至第７のいずれかの解決手段において、糞尿スクレーパーの移動に連動して上下動することを特徴とする畜房用の間仕切りを提供するものである。
【００１７】
（２．畜舎）
本発明は、上記の課題を解決するための第９の手段として、簀の子状の床面を有する複数の畜房と、この簀の子状の床面の下方において複数の畜房間を連通するように設けられ簀の子状の床面から落下した家畜の糞尿を排出する排出ピットとを備えた畜舎であって、排出ピット内に設けられ、排出ピットを畜房間で遮蔽する間仕切りを備えたことを特徴とする畜舎を提供するものである。
【００１８】
本発明は、上記の課題を解決するための第１０の手段として、上記第９の解決手段において、間仕切りは、最下部に位置したときに排出ピットの底面に形成された糞尿排出用の溝又はパイプその他の回収路を除いた部分を遮蔽することを特徴とする畜舎を提供するものである。
【００１９】
本発明は、上記の課題を解決するための第１１の手段として、上記第９又は第１０のいずれかの解決手段において、間仕切りは、上下動することを特徴とする畜舎を提供するものである。
【００２０】
本発明は、上記の課題を解決するための第１２の手段として、上記第１１の解決手段において、排出ピット内を移動して糞尿を回収する糞尿スクレーパーを更に備え、間仕切りは、この糞尿スクレーパーの移動の障害とならないように上下動することを特徴とする畜舎を提供するものである。
【００２１】
本発明は、上記の課題を解決するための第１３の手段として、上記第１１又は第１２のいずれかの解決手段において、間仕切りは、ガイドに沿って上下動することを特徴とする畜舎を提供するものである。
【００２２】
本発明は、上記の課題を解決するための第１４の手段として、上記第１３の解決手段において、間仕切りは、排出ピットを遮蔽するために最下部に移動した場合にも、上端側の一部が畜舎の床面よりも上方に又はガイド内に止まることを特徴とする畜舎を提供するものである。
【００２３】
本発明は、上記の課題を解決するための第１５の手段として、上記第１１乃至第１４のいずれかの解決手段において、間仕切りは、リミットスイッチにより上下動の範囲が設定されていることを特徴とする畜舎を提供するものである。
【００２４】
本発明は、上記の課題を解決するための第１６の手段として、上記第１１乃至第１５のいずれかの解決手段において、間仕切りは、糞尿スクレーパーの移動に連動して上下動することを特徴とする畜房を提供するものである。
【発明の効果】
【００２５】
本発明によれば、上記のように、排出ピットを各畜房間で遮蔽する間仕切りを備えているため、排出ピットを介して効率の良い糞尿回収を達成しつつ、とある畜房の空気が他の畜房に流入することがなく、各畜房毎に収容する家畜に適した環境雰囲気に維持することができる実益がある。
【００２６】
この場合、本発明によれば、上記のように、間仕切りは、糞尿を回収する回収路を除いた部分を遮蔽するため、回収路を介した糞尿の回収を阻害することなく、各畜房毎に収容する家畜に適した環境雰囲気に維持することができる実益がある。
【００２７】
また、本発明によれば、上記のように、間仕切りは、糞尿スクレーパーの移動の障害ととならないように上下動するため、通常は、各畜房間の排出ピットを介しての空気の流通を遮断しつつ、糞尿スクレーパーの通過時のみ上方に待機して糞尿の回収作業を適切に行うことができる実益がある。
【００２８】
更に、この場合、本発明によれば、上記のように、間仕切りは、排出ピットを遮蔽するために最下部に移動した場合にも、上端側の一部がガイド内に止まるため、上方への移動の際に確実にガイドに案内されて上方へ変位することができ、円滑に上下動するので、糞尿スクレーパーの移動による糞尿の回収を適切に達成することができる実益がある。
【００２９】
加えて、この場合、本発明によれば、上記のように、間仕切りは、糞尿スクレーパーの移動に連動して上下動するため、糞尿スクレーパーの通過時においてのみ上方へ退避して糞尿スクレーパーの円滑な移動を確保しつつ、それ以外は確実に各畜房間の空気の流通を遮断すると共に、手間を要することなく、間仕切りを移動させることができる実益がある。
【発明を実施するための最良の形態】
【００３０】
本発明の実施の形態を図面を参照しながら詳細に説明すると、図１乃至図３は、本発明の畜舎１０を示し、この畜舎１０は、畜舎１０内を区切って形成された複数の畜房１２と、これらの複数の畜房１２の床面１２Ａの下方に設けられて家畜の糞尿を排出する排出ピット１４とを備えている。
【００３１】
＜１．畜房＞
複数の畜房１２は、図示の実施の形態では、図１に示すように、中央の通路１６Ａを境に左右に２列形成され、各列ごとに更に畜舎１０の長手方向に区分けすることにより分割して形成されている。これらの畜房１２は、床面１２Ａよりも上方において、少なくとも温度等の環境雰囲気を異なる設定する必要がある畜房１２間では、壁面により相互に空気の流通が遮断されている。
【００３２】
また、これらの各畜房１２の床面１２Ａは、養育する豚等の家畜が排泄した糞尿が落下することができる図示しない落下孔又は落下溝を備えた簀の子状に形成されている。従って、家畜が畜房１２内において排泄した糞尿は、この簀の子状の床面１２Ａから、下方の排出ピット１４に落下して畜房１２外へ排出される。このため、清掃等の場合を除き排泄の度に養育者自らが畜房１２内から糞尿を除去する作業をする必要がない。なお、これらの複数の畜房１２の個数は、特に限定はなく、必要に応じて設定することができる。また、図１において、符号１６（１６Ａ乃至１６Ｃ）は、養育者が各畜房１２に行き来するための通路を、同じく図１及び図２において、符号１５は、この通路１６を各畜房１２毎に区切る扉を示す。
【００３３】
＜２．排出ピット＞
一方、排出ピット１４は、これらの複数の畜房１２の簀の子状の床面１２Ａから落下した家畜の糞尿を排出するものであり、複数の畜房１２の床面１２Ａ下において上記各列毎に形成された複数の畜房１２間を連通するように形成されている。即ち、糞尿は、いずれの畜房１２から排出された糞尿であるかを問わず、全て、この各列毎に形成された同じ排出ピット１４へ回収される。このため、養育者は、畜房１２毎に糞尿を回収する必要がなく、この排出ピット１４へ落下した糞尿を回収すれば足りる。従って、この排出ピット１４は、図２及び図３に示すように、少なくとも畜房１２の各列毎に対応して形成される。
【００３４】
これらの各排出ピット１４は、図２及び図３に示すように、その底面１４Ａが、左右の端部から下方に向けて傾斜した斜面状に形成されている。このため、床面１２Ａから落下した糞尿は、自重により、その斜面を落下して傾斜の最深部（図示の実施の形態では底面１４Ａの中央部）に収集される。このため、養育者が排出ピット１４内に落下した糞尿を集める作業をすることなく、糞尿を容易に１箇所に集中させることができる。
【００３５】
なお、図示の実施の形態では、この排出ピット１４の底面１４Ａの勾配角度として、ある程度糞尿が充分に落下することができる急な角度を確保するため、図２及び図３に示すように、複数の畜房１２の各列の下方において、更に、２列に分割して排出ピット１４を形成し、各列毎に２つの排出ピット１４、畜舎１０全体では、計４列の排出ピット１４を形成している。但し、排出ピット１４の設置個数に特に限定はなく、必要に応じて設定することができる。
【００３６】
また、これらの各排出ピット１４の斜面状の底面１４Ａの最深部には、図２及び図３に示すように、糞尿排出用の回収路１８が形成されている。従って、斜面状の底面１４Ａを落下した糞尿は、この回収路１８に回収される。この糞尿の回収路１８としては、例えば、塩化ビニルから形成され、底面１４Ａに臨む部分が開口したパイプ等を使用することができる。但し、回収路１８の形成には、特に限定はなく、パイプの他、底面１４Ａに形成された溝をもって、回収路１８とすることもできる。
【００３７】
＜３．糞尿スクレーパー＞
この回収路１８に回収された糞尿は、回収路１８から排出ピット１４の外へ回収することができるが、この場合、排出ピット１４内を移動して糞尿を回収する図示しない糞尿スクレーパーにより、糞尿を回収することができる。この糞尿スクレーパーは、例えば、図示しないレール等の軌道上を、図１の矢印Ａに示すように、４列の各排出ピット１４の一端から他端に向けて、各列毎に連続して配置された複数の畜房１２を横切るようにして移動する。この場合、上記のように、各排出ピット１４は複数の畜房１２間で連通しているため、各排出ピット１４の一端から他端へ向けての１回の移動で、当該列の複数の畜房１２から排出された糞尿を一度に回収することができる。
【００３８】
なお、この糞尿スクレーパーは、少なくとも、回収路に１８収集された糞尿を一方向へ向けて掻き出して回収することができれば、同時に、例えば、排出ピット１４の底面１４Ａに沿った形状として、この底面１４に残存した糞尿を掻き出して回収することもできる。更に、必要に応じて、排出ピット１４の側面１４Ｂに残存した糞尿を掻き出すように設定することもできる。いずれにせよ、この糞尿スクレーパーは、複数の畜房１２を横切るようにして各排出ピット１４の一端から他端へ移動して、排出ピット１４内の糞尿を回収することができれば、その移動方式や形状等に特に限定はなく、必要に応じて、適宜設定することができる。
【００３９】
＜４．間仕切り＞
一方、本発明の畜舎１０においては、上記のように、各排出ピット１４が複数の畜房１２間の下方で連通するように形成されているため、この排出ピット１４を介して各畜房１２の空気その他の環境雰囲気が相互に流通するおそれがある。このため、本発明においては、図１乃至図３に示すように、この排出ピット１４内に間仕切り２０が設けられている。
【００４０】
この間仕切り２０は、図１に示すように、畜房１２間に設置されて、排出ピット１４を、これらの複数の畜房１２間で遮蔽する役割を有する。従って、排出ピット１４を介して効率の良い糞尿回収を達成しつつ、とある畜房１２の空気の他の畜房１２への流入が遮断され、各畜房１２毎に収容する家畜に適した環境雰囲気に維持することができる。なお、このため、この間仕切り２０は、異なる温度等の環境雰囲気に設定する必要がある畜房１２ａ間に設置すれば足り、必ずしも、全ての畜房１２間に設置することを必須とするものではない。また、このことから、本発明の間仕切り２０による遮蔽とは、完全な気密状態までを意味するものではなく、各畜房１２の温度等の環境雰囲気に重大な影響を与えない程度に空気の流通を遮断することができれば充分であり、間隙等を介しての若干の空気の流通まで不可避であることを要求するものではない。
【００４１】
また、この間仕切り２０は、図２及び図３に示すように、排出ピット１４の底面１４Ａ及び側面１４Ｂに沿った形状に形成された遮蔽板から形成することができる。これにより、間仕切り２０は、図２及び図３における各右側の間仕切り２０の位置において示すように、排出ピット１４を遮蔽するよう最下部に位置したときでも、排出ピット１４の底面１４Ａに形成された糞尿排出用の回収路１８を除いた部分を遮蔽する。従って、間仕切り２０は、回収路１８を介した糞尿の回収は確保しつつ、複数の畜房１２間の排出ピット１４を介した空気の流通を遮断して、各畜房１２の環境雰囲気を維持することができる。
【００４２】
この場合、この間仕切り２０は、本発明においては、図２及び図３に示すように、上下動するように設定されている。これにより、排出ピット１４内の清掃等の作業を行う必要がある場合には、当該作業を容易に行うことができると共に、特に、上述した糞尿スクレーパーによる糞尿の回収作業を妨げることなく、各畜房１２を設定した温度等の適切な環境雰囲気に維持することができる。
【００４３】
従って、この間仕切り２０の上下動は、特に、糞尿スクレーパーを設置する場合には、この糞尿スクレーパーの移動の障害とならないように設定する。即ち、少なくとも、糞尿スクレーパーが、間仕切り２０を通過しようとする場合には、間仕切り２０は、少なくとも糞尿スクレーパーが通過することができる程度に上方へ退避して糞尿スクレーパーとの衝突を回避して、糞尿スクレーパーの円滑な移動を確保し、一方、糞尿スクレーパーの通過前や通過後においては、最下部に位置して畜房１２間の空気の流通を遮断する。
【００４４】
この間仕切り２０の上下動は、具体的には、例えば、次の構成により達成することができる。即ち、間仕切り２０の駆動機構は、特に図３に示すように、畜房１２間の床面１２Ａ上の壁面内や、この壁面に隣接して設置された支柱枠２２と、この支柱枠２２に取り付けられた駆動モーター２４と、この駆動モーター２４に連結された牽動ワイヤー２６とを備え、間仕切り２０は、この牽動ワイヤー２６の先端に取り付けられて、駆動モーター２４の回転による牽動ワイヤー２６の巻き取り又は送り出し動作により、上下動することができる。従って、これらの支柱枠２２、駆動モーター２４、牽動ワイヤー２６は、間仕切り２０を支持するのに充分な強度を有する設定とする。
【００４５】
また、これらの駆動機構による間仕切り２０の上下動は、図３に示すように、駆動モーター２４に接続された制御盤２８により制御することができる。この場合、この制御盤２８に設定された図示しないスイッチのＯｎ／Ｏｆｆにより、間仕切り２０の上下動の開始及び停止を制御することができる。この場合、各間仕切り２０毎にスイッチを設定して、糞尿スクレーパーが通過しようとする畜房１２間の当該間仕切り２０のみを上下動させることにより、できるだけ空気の流通を遮断するように設定することもできるし、当該排出ピット１４内の糞尿スクレーパーに共通のスイッチとして、一度にとある排出ピット１４内の全ての間仕切り２０を上下動させる設定とすることもできる。
【００４６】
更に、この場合、間仕切り２０の上下動のタイミングとしては、糞尿スクレーパーの移動とは関係なく上記スイッチのＯｎ／Ｏｆｆにより上下動させることができる設定として、作業者が、必要に応じて、例えば、糞尿スクレーパーが排出ピット１４を往復する間、即ち、糞尿スクレーパーの移動開始前に間仕切り２０を上方に退避させ、糞尿スクレーパーの移動終了後に間仕切り２０を下降させることができる。これにより、簡易な構成で、また、複雑な操作をすることなく、作業を行うことができる。その他、この制御盤２８を糞尿スクレーパーの駆動のための機構と電気的に連結して、糞尿スクレーパーの移動に連動して上下動するように設定することもできる。この場合、更に、糞尿スクレーパーの移動開始を検知すると、全ての間仕切り２０が上方へ退避して糞尿スクレーパーの追加を許容する設定とすることもできるし、糞尿スクレーパーの移動位置を検知して、当該糞尿スクレーパーが通過しようとする畜房１２間の当該間仕切り２０のみを上下動させる設定とすることもできる。これにより、排出ピット１４を介した畜房１２間の空気の流通を可能な限り最小限に止めつつ、糞尿の回収作業を行うことができる。
【００４７】
また、畜舎１０は、図３に示すように、支柱枠２２や畜舎１０の床面に取り付けられて、この間仕切り２０の上下動を案内するガイド３０が設けられている。このガイド３０は、横断面が略コの字状に形成されて、間仕切り２０の左右の端面を囲むようにして設置される。従って、間仕切り２０は、その左右の端部が、このガイド３０に沿って上下動することにより、円滑に上方に退避することができる。
【００４８】
この場合、間仕切り２０は、この上下動に伴い、畜房１２の床面１２Ａ、即ち、排出ピット１４の上縁（通常は、畜舎１０の床面）を境に下方の排出ピット１４から上方の畜房１２側へ変位するため、畜舎１０の床面には、この間仕切り２０の通過を許容する開口を形成しておく必要がある。この場合、上述したように、間仕切り２０の上下動のための機構を、畜房１２を区切る壁面内に設置する場合には、間仕切り２０は、上方へ退避した場合には、この壁面内に格納されるため、壁面の下方を開口させておくことにより、また、畜房１２を区切る壁面に隣接して設置する場合には、畜房１２の床面１２Ａに、この板状の間仕切り２０が通過することができる図示しない開口を形成しておく。
【００４９】
この場合、特に、間仕切り２０が排出ピット１４内へ下降した場合に、間仕切り２０の全体が、これらの通過のための開口よりも下方に位置すると、上方へ向けて移動した場合に、円滑に開口内へ導かれずに、畜房１２の床面１２Ａ等に下方から衝突して、適切に上方に退避できないおそれがある。このため、特に、図３に示すように、間仕切り２０は、排出ピット１４を遮蔽するために最下部に移動した場合にも、上端側の一部が、ガイド３０内に位置するように大きさや形状又は位置を設定する。なお、ガイド３０を設置しない場合においても、上下動のための上記開口、即ち、排出ピット１４の上縁（通常は、畜舎１０の床面）よりも上方に位置するように設定することが望ましい。
【００５０】
なお、この間仕切り２０の上下動の範囲は、図３に示すように、間仕切り２０に取り付けられたリミットスイッチ３２により規制することができる。具体的には、例えば、図３に示すように、支柱枠２２に上方側リミットスイッチ３２Ａを、ガイド３０の下方付近に下方側リミットスイッチ３２Ｂを設け、一方、間仕切り２０の板面に、これらのリミットスイッチ３２に接触する上下の接触子３４を取り付け、図３の左側の間仕切り板２０に示すように、上方側の接触子３２Ａが上方側のリミットスイッチ３０に接触することにより、又は、下方側の接触子３２Ｂが下方側のリミットスイッチ３０Ｂに接触することにより、上昇を停止し、逆に、図３の右側の間仕切り板２０に示すように、上方の接触子３４Ａが下方のリミットスイッチ３０Ｂに接触することにより下降を停止する設定とすることができる。なお、この間仕切り２０の上下動の範囲を規制することができれば、このリミットスイッチ３２を設置する箇所に特に限定はなく、他に、例えば、畜房１２の床面１２Ａに設置することなどもできる。
【産業上の利用可能性】
【００５１】
本発明は、豚等の家畜を収容する畜舎及び、この畜舎内に設置される畜房に適用することができる。
【図面の簡単な説明】
【００５２】
【図１】本発明の畜舎の概略平面図である。
【図２】本発明の畜舎の概略縦断面図である。
【図３】本発明の間仕切りの正面図である。
【符号の説明】
【００５３】
１０  畜舎
１２  畜房
１２Ａ  畜房の床面
１４  排出ピット
１４Ａ  排出ピットの底面
１４Ｂ  排出ピットの側面
１６  通路
１８  回収路
２０  間仕切り
２２  支柱枠
２４  駆動モーター
２６  牽動ワイヤー
２８  制御盤
３０  ガイド
３２  リミットスイッチ
３４  接触子
【図１】
2010004768.tif 000003
【図２】
2010004768.tif 000004
【図３】
2010004768.tif 000005